(57)【要約】【課題】  ドライバー等の工具を必要としないで簡単に取り付けることができ、天井面に対する照明器具本体のガタツキや傾きを調整できる照明器具取付装置を提供する。【解決手段】  シーリングローゼット２に係止されるプラグ本体の周面に係止段部８，９を有する引掛プラグ３、引掛プラグ３を嵌入する嵌入孔１７の内周面に径方向に出没自在に設けられた一対の係止部材１８を備えたアダプタ本体４を取り付けた照明器具本体５を備える。引掛プラグ３の係止段部８又は９に、アダプタ本体４の一対の係止部材１８が着脱自在に係止されることで照明器具本体５が取り付けられる。照明器具本体５の外周部の複数箇所に、天井面に対して当接する調整用ネジ２６を配し、調整用ネジ２６により天井面に対する照明器具本体５のガタツキ、照明器具本体５の傾きを調整する。【選択図】          図１
2005353319.tif 000002
【特許請求の範囲】
【請求項１】
天井に固着されたシーリングローゼットの下面に着脱自在に係止されるプラグ本体の周面に係止段部を有する引掛プラグと、前記引掛プラグを嵌入する嵌入孔と前記嵌入孔の内周面に径方向に出没自在に設けられた一対の係止部材とを備えたアダプタ本体と、前記アダプタ本体を取り付けた照明器具本体とを備え、前記引掛プラグの係止段部に、前記アダプタ本体の一対の係止部材が着脱自在に係止されることで前記照明器具本体が取り付けられる照明器具取付装置において、前記照明器具本体の外周部の複数箇所に、前記天井面に対して当接する調整用ネジを配したことを特徴とする照明器具取付装置。
【発明の詳細な説明】
【技術分野】
【０００１】
本発明は、照明器具取付装置に関する。
【背景技術】
【０００２】
天井に固着されたシーリングローゼットには、埋込型と露出型とがある。従来、シャンデリアを埋込型のシーリングローゼットに取り付ける場合では、埋込型のシーリングローゼットに設けてある取付金具のビス穴にネジ等を用いてシャンデリアを取り付けるための取付金具を固定し、該取付金具に化粧ネジ等によりシャンデリア本体を取り付けていた。また、シャンデリアを露出型のシーリングローゼットに取り付ける場合では、シャンデリアを取り付けるための取付金具をシーリングを介在し、木ネジ等により直接天井面に固定した後、取付金具に化粧ネジ等によりシャンデリア本体を取り付けていた。
【発明の開示】
【発明が解決しようとする課題】
【０００３】
上述の取付方法であると、ドライバー等の工具が必要となり、しかも天井にタッピングネジで取り付けることは専門作業となり、一般家庭では取付作業は困難を要していた。
【０００４】
本発明の目的は、ドライバー等の工具を必要としないで簡単に取り付けることができ、天井面に対する照明器具本体のガタツキを解消でき、照明器具本体の傾きを調整できる照明器具取付装置を提供することにある。
【課題を解決するための手段】
【０００５】
請求項１に係る照明器具取付装置は、天井に固着されたシーリングローゼットの下面に着脱自在に係止されるプラグ本体の周面に係止段部を有する引掛プラグと、前記引掛プラグを嵌入する嵌入孔と前記嵌入孔の内周面に径方向に出没自在に設けられた一対の係止部材とを備えたアダプタ本体と、前記アダプタ本体を取り付けた照明器具本体とを備え、前記引掛プラグの係止段部に、前記アダプタ本体の一対の係止部材が着脱自在に係止されることで前記照明器具本体が取り付けられるものであって、上記課題を解決するために、前記照明器具本体の外周部の複数箇所に、前記天井面に対して当接する調整用ネジを配したことを特徴とする。
【０００６】
天井に固着されたシーリングローゼットの下面に引掛プラグを（栓刃嵌合により）係止する。照明器具本体に取り付けられているアダプタ本体の嵌合孔に引掛プラグを嵌入させて照明器具本体を押し上げる。すると、プラグ本体の周面に押圧されてアダプタ本体の一対の係止部材が没入し、さらに、係止部材がプラグ本体の周面の係止段部を通過すると再び突出し、引掛プラグの係止段部の上面にアダプタ本体の一対の係止部材が係止される。これにより照明器具本体が取り付けられる。照明器具本体の外周部の複数箇所に配された調整用ネジを回し、天井面に対して調整用ネジの先端を当接させ、天井面に対する照明器具本体のガタツキを解消し、照明器具本体の傾きを調整する。
【発明の効果】
【０００７】
請求項１に係る照明器具取付装置によれば、ドライバー等の工具を必要としないで簡単に照明器具本体を取り付けることができ、調整用ネジにより天井面に対する照明器具のガタツキを解消でき、照明器具の傾きを調整することができる。
【発明を実施するための最良の形態】
【０００８】
以下、本発明の実施の形態を図面を参照して説明する。図１は、本発明の第１実施形態に係る照明器具取付装置の分解斜視図である。照明器具取付装置１は、天井に固着されたシーリングローゼット２の下面に着脱自在に係止される引掛プラグ３と、引掛プラグ３に対し着脱自在に係止されるアダプタ本体４と、アダプタ本体４を取り付けた照明器具本体５とを備える。
【０００９】
シーリングローゼット２は、従来公知のもので、図１の右側に符号２ａで示す埋込型のもの、図１の中央に符号２ｂで示す露出型のもの、図１の左側に符号２ｃで示す高荷重用、ツバ付きで露出型のものの３タイプがある。なお、埋込型シーリングローゼットの高さは規格値が１１ｍｍであり、露出型シーリングローゼットの高さは規格値が２２ｍｍである。本発明の照明器具取付装置１は、これら３つのタイプのシーリングローゼット２に対して取り付けることができる。
【００１０】
シーリングローゼット２の下面には、一対の円弧状の栓刃挿入口６，６が設けられている。栓刃挿入口６は、一端側に形成された幅広部と他端側に形成された幅狭部とを有し、幅狭部の奥部には屋内配線と接続された図示しない端子が配設されている。
【００１１】
図２は、引掛プラグの斜視図であり、図３は引掛プラグの側面図である。引掛プラグ３は、箱形状をなした上部のプラグ部７ａと該プラグ部７ａの中央から下方に向って筒状をなした筒状部７ｂとを一体に備えるプラグ本体７を有する。プラグ本体７の筒状部７ｂの上下方向の中間部と下端部には、上下２段に、（上段）係止段部８，（下段）係止段部９が設けられている。なお、上下２段の係止段部８，９は、プラグ本体７の筒状部７ｂを径小に形成することで、周方向全長に亘って形成されている。
【００１２】
また、（上段）係止段部８の下方及び（下段）係止段部９の下方には、下に向うほど筒の中心に向うように傾斜した（上段）テーパ下面１０，（下段）テーパ下面１１が周方向全長に亘って形成されている。なお、引掛プラグ３の係止段部８，９には、後述のアダプタ本体４の一対の係止爪１８，１８が着脱自在に係止される。また、埋込型シーリングローゼットと露出型シーリングローゼットとの高さの差は１１ｍｍであるため、（上段）係止段部８と（下段）係止段部９との差も１１ｍｍとしてある。
【００１３】
プラグ本体７の下面からは、接続コード１２が延出され、接続コード１２の先端にはコネクタ１３が装着されている。また、プラグ本体７の上面には、シーリングローゼット２の栓刃挿入口６，６に挿抜自在に差し込まれる一対の栓刃１４，１４が突設され、栓刃１４と接続コード１２とが電気的に接続されている。即ち、栓刃１４，１４をシーリングローゼット２の栓刃挿入口６，６へ挿入して、栓刃１４とシーリングローゼット２の端子とを接続すると、接続コード１２が屋内配線と電気的に接続されるようになっている。
【００１４】
さらに、引掛プラグ３の上面には、ロック爪１５が出没自在に、且つ、突出方向へ付勢されて設けられる。このロック爪１５は、引掛プラグ３が適正位置にあるとき突出してシーリングローゼット２と係合し、引掛プラグ３が回転しないようになっている。そして、プラグ部７ａの側面に設けられたロック解除ボタン１６を押し込んで、ロック爪１５を没入させると、引掛プラグ３を栓刃１４の引き抜き方向へ回転させることができる。
【００１５】
図４は、アダプタ本体の斜視図であり、図５は、アダプタ本体の底面図である。アダプタ本体４は、照明器具本体５の天板下面に取り付けられる。アダプタ本体４の中央には、引掛プラグ３を嵌入するための円形の嵌入孔１７が設けられている。嵌入孔１７の内周面には一対の係止爪１８，１８が相対向する位置に、且つ、径方向に出没自在に設けられる。また、係止爪１８，１８は、図示していない各係止部材の先端部に形成されているものであり、各係止部材は、アダプタ本体４に内蔵された付勢スプリング（図示せず）によって嵌入孔１７の内周面から中心に向けて突出する方向に付勢されている。さらに、係止爪１８，１８の上面内端部は、上から押圧された時に係止爪１８がアダプタ本体４内へ没入する面、即ち、上に行くほど外方へ向かうように傾斜したテーパ上面１９が形成されており、常態においてこのテーパ上面１９が嵌入孔１７の内周面から突出するようになっている。
【００１６】
前記各係止部材の下面には解除レバー２０，２０がそれぞれ一体に設けられると共に、これらの解除レバー２０，２０の下部がアダプタ本体４の下面に露出している。従って、解除レバー２０，２０を外周方向へ移動させると、係止爪１８，１８はアダプタ本体４の内部へ没入する。
【００１７】
図６は、埋込型シーリングローゼットに対して取り付けた照明器具取付装置１の断面図である。照明器具本体５は、図１及び図６から理解されるように、上方に開放された半球状をなす覆い部２１と、覆い部２１の中空な内部を中途で上下に仕切る水平な天板２２と、覆い部２１の外周を取り巻く水平なフランジ部２３とを一体に備える。天板２２の中央部にはアダプタ本体４の嵌合孔１７と同径の通孔が設けられている（図６参照）。照明器具本体５の天板の下面にはアダプタ本体４の嵌合孔１７と天板の前記通孔とを合致させてアダプタ本体４が取り付けられる。なお、アダプタ本体４の天板への取付は、アダプタ本体４に設けられた本体取付穴２４，２４（図参照）を通じてネジ等により取り付けられる。
【００１８】
また、照明器具本体５のフランジ部２３の背面には、クッション材２５がフランジ部の全周に亘って設けられている。さらに、フランジ部２３の下面の複数箇所には（本実施形態では中心から１２０度の間隔を開けて３箇所、そのうちの１つは図示せず）、天井面に対して当接する調整用ネジ２６が配設されている。なお、調整用ネジ２６はクッション材２５を貫通して設けられている（図７参照）。また、以上に述べた実施形態において、照明器具としてシャンデリアを一例として説明する。
【００１９】
以上のように構成された照明器具取付装置は次のように取り付けられる。図６に示すように、埋込型シーリングローゼット２ａに対して取り付けるときは、先ず、引掛プラグ３の栓刃１４を埋込型シーリングローゼット２ａの栓刃挿入口６に差し込んで、引掛プラグ３を埋込型シーリングロゼット２ａに取り付ける。次に、アダプタ本体４の嵌入孔１７と引掛プラグ３とを一致させて照明器具本体５を押し上げると、引掛プラグ３が嵌入孔１７に嵌入され、係止爪１８のテーパ上面１９が引掛プラグ３の（下段）テーパ下面１１にぶつかる。
【００２０】
照明器具本体５をさらに上昇させると、係止爪１８の内端部に形成されたテーパ上面１９が（下段）テーパ下面１１により上から押圧され、この結果、係止爪１８はアダプタ本体４の内部に没入する。さらに照明器具本体５を押し上げると、照明器具本体５のフランジ部２３の背面のクッション材２５が天井面に適度に圧接されると共に、係止爪１８が（下段）係止段部９を通過すると、付勢スプリングの付勢力によって係止爪１８が再度突出し、（下段）係止段部９の上面に係合してアダプタ本体４が引掛プラグ３に取り付けられ、照明器具本体５が天井に装着される。
【００２１】
埋込型シーリングローゼットの高さは規格値が１１ｍｍであるので、アダプタ本体４の係止爪１８は引掛プラグ３の（下段）係止段部９に係止嵌合されることになる。天井面は必ずしも均一な平面ではないため、照明器具本体５のフランジ部２３の複数箇所に設けられた調整用ネジ２６を、ネジ先端が天井面に軽く当接するまで回して照明器具本体５のガタツキを解消する。そして、引掛プラグ３のコネクタ１３を照明器具本体５のコネクタ２７に接続する。最後に、カバー２８を引掛爪等による取付手段により照明器具本体５の下部に取り付けて完了する（図８参照）。
【００２２】
図９は、露出型シーリングローゼットに対して取り付けた照明器具取付装置１の断面図である。露出型シーリングローゼット２ｂに対して取り付けるときも同様に、先ず、引掛プラグ３の栓刃１４を露出型シーリングローゼット２ｂの栓刃挿入口６に差し込んで、引掛プラグ３を露出型シーリングロゼット２ｂに取り付ける。
【００２３】
次に、アダプタ本体４の嵌入孔１７と引掛プラグ３とを一致させて照明器具本体５を押し上げると、引掛プラグ３が嵌入孔１７に嵌入され、係止爪１８のテーパ上面１９が引掛プラグ３の（下段）テーパ下面１１にぶつかる。照明器具本体５をさらに上昇させると、係止爪１８の内端部に形成されたテーパ上面１９が（下段）テーパ下面１１により上から押圧され、この結果、係止爪１８はアダプタ本体４の内部に没入する。さらに照明器具本体５を押し上げると、係止爪１８が（下段）係止段部９を通過すると、付勢スプリングの付勢力によって係止爪１８が再度突出し、（下段）係止段部９の上面に係合する。
【００２４】
再度、照明器具本体５を押し上げると、係止爪１８のテーパ上面１９が引掛プラグ３の（上段）テーパ下面１０にぶつかる。照明器具本体５をさらに上昇させると、係止爪１８のテーパ上面１９が（上段）テーパ下面１０により上から押圧され、この結果、係止爪１８はアダプタ本体４の内部に再度没入する。さらに照明器具本体５を押し上げると、照明器具本体５のフランジ部２３の背面のクッション材２５が天井面に適度に圧接されると共に、係止爪１８が（上段）係止段部８を通過すると、付勢スプリングの付勢力によって係止爪１８が再度突出し、（上段）係止段部８の上面に係合してアダプタ本体４が引掛プラグ３に取り付けられ、照明器具本体５が天井に装着される。
【００２５】
露出型シーリングローゼットの高さは規格値が２２ｍｍであるので、アダプタ本体４の係止爪１８は引掛プラグ３の（上段）係止段部８に係止嵌合されることになる。天井面は必ずしも均一な平面ではないため、照明器具本体５のフランジ部２３の複数箇所に設けられた調整用ネジ２６を、ネジ先端が天井面に軽く当接するまで回して照明器具本体５のガタツキを解消する。そして、引掛プラグ３のコネクタ１３を照明器具（シャンデリア）のコネクタ２７に接続する。最後に、カバー２８を引掛爪等による取付手段により照明器具本体５の下部に取り付けて完了する。
【００２６】
以上に述べた実施形態において、照明器具としてシャンデリアを一例として説明したが、アダプタ本体４に配線ダクトレール本体３０を備えたものにも本発明が適用できる。図１０は、アダプタ本体４に配線ダクトレール本体３０を備えた第２実施形態に係る照明器具取付装置の分解斜視図である。図１０において、配線ダクトレール本体３０はネジ等の取付手段によりアダプタ本体４に取り付けられている。配線ダクトレール本体３０は長尺なダクトレール部３１の両端寄りの上面に調整スタッドボルト３２をそれぞれ備えている。
【００２７】
配線ダクトレール本体の取り付けは、引掛プラグ３をシーリングローゼット２に取り付ける。引掛プラグ３のコネクタ１３を配線ダクトレール本体３０のコネクタ３３に接続する。次いで、引掛プラグ３をアダプタ本体４の嵌合孔１７に嵌合し、配線ダクトレール本体３０を押し上げることにより、引掛プラグ３をアダプタ本体４に取り付けることで、天井面に配線ダクトレール本体３０を取り付ける。照明器具本体５のフランジ部の複数箇所に設けられた調整用ネジ２６を、ネジ先端が天井面に軽く当接するまで回して照明器具本体５のガタツキを解消する。さらに、調整スタッドボルト３２を天井面に当接するまで回し、傾き調整を行う。
【図面の簡単な説明】
【００２８】
【図１】本発明の第１実施形態に係る照明器具取付装置の分解斜視図である。
【図２】引掛プラグの斜視図である。
【図３】引掛プラグの側面図である。
【図４】アダプタ本体の斜視図である。
【図５】アダプタ本体の底面図である。
【図６】埋込型シーリングローゼットに対して取り付けた照明器具取付装置の断面図である。
【図７】天井面に対して当接する調整用ネジを示す照明器具本体の要部断面図である。
【図８】第１実施形態の照明器具取付装置における照明器具本体へのカバーの取り付けを示す斜視図である。
【図９】露出型シーリングローゼットに対して取り付けた照明器具取付装置１の断面図である。
【図１０】アダプタ本体４に配線ダクトレール本体３０を備えた第２実施形態に係る照明器具取付装置の分解斜視図である。
【符号の説明】
【００２９】
１  照明器具取付装置
２  シーリングローゼット
３  引掛プラグ
４  アダプタ本体
５  照明器具本体
６  栓刃挿入口
７  プラグ本体
７ａ  プラグ部
７ｂ  筒状部
８  （上段）係止段部
９  （下段）係止段部
１０  （上段）テーパ下面
１１  （下段）テーパ下面
１２  接続コード
１３  コネクタ
１４  栓刃
１５  ロック爪
１６  ロック解除ボタン
１７  嵌入孔
１８  係止爪
１９  テーパ上面
２０  解除レバー
２１  覆い部
２２  天板
２３  フランジ部
２４  本体取付穴
２５  クッション材
２６  調整用ネジ
２７  コネクタ
２８  カバー
２９  シャンデリアセード
３０  配線ダクトレール本体
３１  ダクトレール部
３２  調整スタッドボルト
３３  コネクタ
【図１】
2005353319.tif 000003
【図２】
2005353319.tif 000004
【図３】
2005353319.tif 000005
【図４】
2005353319.tif 000006
【図５】
2005353319.tif 000007
【図６】
2005353319.tif 000008
【図７】
2005353319.tif 000009
【図８】
2005353319.tif 000010
【図９】
2005353319.tif 000011
【図１０】
2005353319.tif 000012